(57)【特許請求の範囲】
【請求項１】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
前記複数の発光ダイオードは、前記第１方向に一列で配列されている第１グループの前記発光ダイオードと、前記第１方向に千鳥状に配列されている第２グループの前記発光ダイオードと、を有し、
前記第２グループの前記発光ダイオードは、前記基板の前記第１方向の中央部に配置され、
前記第１グループの前記発光ダイオードは、前記基板の前記中央部を挟む両端部のそれぞれに配置されていることを特徴とする液晶表示装置。
【請求項２】
請求項１に記載された液晶表示装置において、
前記第１グループの前記発光ダイオードは、前記第１方向に等ピッチで配列され、
前記第２グループの前記発光ダイオードは、前記千鳥状の配列方向に等ピッチで配列されていることを特徴とする液晶表示装置。
【請求項３】
請求項１に記載された液晶表示装置において、
前記第１グループの前記発光ダイオードの隣同士のピッチは、前記基板の前記第１方向の中央に近いほど小さく、
前記第２グループの前記発光ダイオードの前記千鳥状の配列方向に隣同士のピッチは、前記基板の前記第１方向の中央に近いほど小さいことを特徴とする液晶表示装置。
【請求項４】
請求項１に記載された液晶表示装置において、
前記基板は、前記中央部の前記第２方向の幅が、前記両端部のそれぞれの前記第２方向の幅よりも広いことを特徴とする液晶表示装置。
【請求項５】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
隣同士の前記発光ダイオードのピッチは、前記基板の前記第１方向の中央に近いほど小さくなっており、
前記基板は、前記ピッチが最も小さい隣同士の前記発光ダイオードの間で、第１分割基板及び第２分割基板に分割され、
前記第１分割基板及び前記第２分割基板の少なくとも一方は、一方の端部にケーブルとの接続用のケーブルコネクタを有し、
前記第１分割基板及び前記第２分割基板が、他方の端部同士を隣り合わせて配置され、
前記第１分割基板及び前記第２分割基板は、同じ設計で構成され、相互に回転対象の位置関係にあり、
前記第１分割基板及び前記第２分割基板の前記他方の端部は、相互に対向する面に凹部及び凸部を有し、
前記第１分割基板及び前記第２分割基板は、一方の前記凹部と他方の前記凸部が対向するように配置されていることを特徴とする液晶表示装置。
【請求項６】
請求項５に記載された液晶表示装置において、
前記複数の発光ダイオードは、少なくとも前記第１分割基板及び前記第２分割基板の前記凹部及び前記凸部が形成された前記端部の側で、前記第１方向に千鳥状に配列され、
前記第１分割基板及び前記第２分割基板のそれぞれの前記第１方向で最も外側に位置する前記発光ダイオードから、前記第１方向に、前記凸部が突出することを特徴とする液晶表示装置。
【請求項７】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
隣同士の前記発光ダイオードのピッチは、前記基板の前記第１方向の中央に近いほど小さくなっており、
前記基板は、前記ピッチが最も小さい位置を避けて、隣同士の前記発光ダイオードの間で、第１分割基板、第２分割基板及び第３分割基板に分割され、
前記第１分割基板の一方の端部に設けられた、ケーブルとの接続用のケーブルコネクタと、
前記第１分割基板の他方の端部と前記第２分割基板の一方の端部とを電気的に接続する第１接続コネクタと、
前記第２分割基板の他方の端部と前記第３分割基板の一方の端部とを電気的に接続する第２接続コネクタと、をさらに有し、
前記複数の発光ダイオードは、前記第１方向に千鳥状に配列され、
隣同士の前記発光ダイオードのピッチは、前記千鳥状の配列方向に隣同士の前記発光ダイオードのピッチであり、
前記第１分割基板及び前記第２分割基板の相互に電気的に接続される前記端部は、相互に対向する面にそれぞれ凹部及び凸部を有し、
前記第２分割基板及び前記第３分割基板の相互に電気的に接続される前記端部は、相互に対向する面にそれぞれ凹部及び凸部を有し、
前記第１分割基板、前記第２分割基板及び前記第３分割基板のそれぞれの前記第１方向で最も外側に位置する前記発光ダイオードから、前記第１方向に前記凸部が突出し、
前記第１分割基板及び前記第２分割基板は、一方の前記凹部と他方の前記凸部が対向するように配置され、
前記第２分割基板及び前記第３分割基板は、一方の前記凹部と他方の前記凸部が対向するように配置されていることを特徴とする液晶表示装置。
【請求項８】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
隣同士の前記発光ダイオードのピッチは、前記基板の前記第１方向の中央に近いほど小さくなっており、
前記基板は、前記ピッチが最も小さい位置を避けて、隣同士の前記発光ダイオードの間で、第１分割基板、第２分割基板及び第３分割基板に分割され、
前記第１分割基板の一方の端部に設けられた、ケーブルとの接続用のケーブルコネクタと、
前記第１分割基板の他方の端部と前記第２分割基板の一方の端部とを電気的に接続する第１接続コネクタと、
前記第２分割基板の他方の端部と前記第３分割基板の一方の端部とを電気的に接続する第２接続コネクタと、をさらに有し、
前記第２分割基板に配置された前記発光ダイオードは、前記第１方向に千鳥状に配列され、隣同士の前記発光ダイオードのピッチは、前記千鳥状の配列方向に隣同士の前記発光ダイオードのピッチであり、
前記第１分割基板及び前記第３分割基板のそれぞれに配置された前記発光ダイオードは、前記第１方向に一列で配列されていることを特徴とする液晶表示装置。
【請求項９】
請求項８に記載された液晶表示装置において、
前記第２分割基板の前記第２方向の幅が、前記第１分割基板及び前記第３分割基板のいずれの前記第２方向の幅よりも広いことを特徴とする液晶表示装置。
【請求項１０】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
前記バックライトは、前記反射シートを第１反射シートとして、前記基板に貼られた第２反射シートをさらに有し、
前記第１反射シートは、前記複数の発光ダイオードをそれぞれ内側に配置する複数の第１穴を有し、
前記第２反射シートは、全体として、前記複数の発光ダイオードをそれぞれ内側に配置する複数の第２穴を有し、
それぞれの前記第１穴の内側にいずれかの前記第２穴の縁部の少なくとも一部が露出し、
前記第２反射シートは、前記基板の中央の第１領域に配置される第１反射ピースと、前記基板の前記第１領域を挟む一対の第２領域に配置される複数の第２反射ピースと、に分割され、
隣同士の前記発光ダイオードのピッチは、前記基板の前記第１方向の中央に近いほど小さくなっており、
少なくとも前記第１領域に配置された前記発光ダイオードは、前記第１方向に千鳥状に配列されており、
前記第２領域に配置された前記発光ダイオードは、前記第１方向に一列で配列されていることを特徴とする液晶表示装置。
【請求項１１】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
前記基板を前記複数の発光ダイオードとは反対側で支持する、前記基板よりも大きい支持板と、
前記基板の上方であって少なくとも１つの前記発光ダイオードの上方に配置されるレンズと、
をさらに有し、
前記レンズは、前記基板の外側で前記支持板に取り付けられていることを特徴とする液晶表示装置。
【請求項１２】
請求項１１に記載された液晶表示装置において、
前記支持板に設けられたスペーサを有し、
前記レンズは、前記スペーサを介して前記支持板に支持されていることを特徴とする液晶表示装置。
【請求項１３】
表示面及び前記表示面とは反対側の裏面を有する液晶表示パネルと、
バックライトと、
を有し、
前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、
前記基板の前記複数の発光ダイオードが搭載された前記面が、前記液晶表示パネルの前記裏面と対向し、
前記液晶表示パネル及び前記基板は、いずれも、共通する第１方向の幅が、前記第１方向に直交する第２方向の幅よりも長い形状を有し、
前記基板は、前記第２方向の幅が前記液晶表示パネルの前記第２方向の幅よりも短く、
前記液晶表示パネルの前記第２方向の両端部と対向することを避けて、前記液晶表示パネルの前記両端部の間の中央部と対向し、
複数の前記基板を有し、
前記複数の基板を前記複数の発光ダイオードとは反対側で支持する、前記基板よりも大きい支持板と、
それぞれの前記基板の上方であって少なくとも１つの前記発光ダイオードの上方に配置されるレンズと、
をさらに有し、
前記レンズは、その下に配置される前記基板の外側で前記支持板に取り付けられていることを特徴とする液晶表示装置。
【請求項１４】
請求項１３に記載された液晶表示装置において、
前記支持板に設けられたスペーサを有し、
前記レンズは、前記スペーサを介して前記支持板に支持されていることを特徴とする液晶表示装置。
【請求項１５】
請求項１４に記載された液晶表示装置において、
前記スペーサは、少なくとも、隣同士の前記基板の間に分割されないように配置され、
一方の前記基板の上方に位置する前記レンズと、他方の前記基板の上方に位置する前記レンズと、の両方が、隣同士の前記基板の間に配置された前記スペーサで支持されることを特徴とする液晶表示装置。
【請求項１６】
請求項１４に記載された液晶表示装置において、
前記スペーサは、少なくとも、隣同士の前記基板の間で、一方の前記基板に近い第１分割スペーサと他方の前記基板に近い第２分割スペーサに分割されて配置され、
一方の前記基板の上方に位置する前記レンズは、前記第１分割スペーサに支持され、
他方の前記基板の上方に位置する前記レンズは、前記第２分割スペーサに支持されることを特徴とする液晶表示装置。
【請求項１７】
請求項１から１６のいずれか１項に記載された液晶表示装置を有し、テレビジョン放送の電波を受信して映像を表示し音声を出すように構成されたことを特徴とするテレビ受像機。
【請求項１８】
請求項１、５、７−８、１０−１１、１３のいずれか１項に記載された液晶表示装置と、
スピーカと、
チューナと、
を有し、
前記液晶パネルは、横長の画面を有し、
前記反射シートは、前記液晶表示パネルに凹面が向くように湾曲部を有し、
前記基板は、記液晶表示パネルとは反対側で前記反射シートに重なり、
前記発光ダイオードは、前記基板に搭載されて前記反射シートを貫通して前記凹面側に突出するように配置され、
それぞれの前記発光ダイオードは、前記基板に対して垂直の方向及び他の方向に光を放射し、前記垂直の方向よりも他の方向への光強度が強くなっており、
前記複数の発光ダイオードは、前記画面の横方向に少なくとも一列で並べられ、前記画面の縦方向の幅が前記画面の縦方向の長さの半分以下である空間領域内に収まるように配列されていることを特徴とするテレビ受像機。
【請求項１９】
請求項１８に記載されたテレビ受像機において、
前記基板の前記画面の縦方向の幅は、前記画面の縦方向の長さの半分以下であることを特徴とするテレビ受像機。
【請求項２０】
請求項１８に記載されたテレビ受像機において、
前記反射シートの前記湾曲部は、第１湾曲部及び第２湾曲部を含み、
前記第１湾曲部及び前記第２湾曲部は、前記画面の縦方向で前記複数の点光源を挟む両側にそれぞれ形成されていることを特徴とするテレビ受像機。
【請求項２１】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
前記複数の発光ダイオードは、前記第１方向に一列で配列されている第１グループの前記発光ダイオードと、前記第１方向に千鳥状に配列されている第２グループの前記発光ダイオードと、を有し、
前記第２グループの前記発光ダイオードは、前記基板の前記第１方向の中央部に配置され、
前記第１グループの前記発光ダイオードは、前記基板の前記中央部を挟む両端部のそれぞれに配置されていることを特徴とするバックライトユニット。
【請求項２２】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
隣同士の前記発光ダイオードのピッチは、前記基板の前記第１方向の中央に近いほど小さくなっており、
前記基板は、前記ピッチが最も小さい隣同士の前記発光ダイオードの間で、第１分割基板及び第２分割基板に分割され、
前記第１分割基板及び前記第２分割基板の少なくとも一方は、一方の端部にケーブルとの接続用のケーブルコネクタを有し、
前記第１分割基板及び前記第２分割基板が、他方の端部同士を隣り合わせて配置され、
前記第１分割基板及び前記第２分割基板は、同じ設計で構成され、相互に回転対象の位置関係にあり、
前記第１分割基板及び前記第２分割基板の前記他方の端部は、相互に対向する面に凹部及び凸部を有し、
前記第１分割基板及び前記第２分割基板は、一方の前記凹部と他方の前記凸部が対向するように配置されていることを特徴とするバックライトユニット。
【請求項２３】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
隣同士の前記発光ダイオードのピッチは、前記基板の前記第１方向の中央に近いほど小さくなっており、
前記基板は、前記ピッチが最も小さい位置を避けて、隣同士の前記発光ダイオードの間で、第１分割基板、第２分割基板及び第３分割基板に分割され、
前記第１分割基板の一方の端部に設けられた、ケーブルとの接続用のケーブルコネクタと、
前記第１分割基板の他方の端部と前記第２分割基板の一方の端部とを電気的に接続する第１接続コネクタと、
前記第２分割基板の他方の端部と前記第３分割基板の一方の端部とを電気的に接続する第２接続コネクタと、をさらに有し、
前記複数の発光ダイオードは、前記第１方向に千鳥状に配列され、
隣同士の前記発光ダイオードのピッチは、前記千鳥状の配列方向に隣同士の前記発光ダイオードのピッチであり、
前記第１分割基板及び前記第２分割基板の相互に電気的に接続される前記端部は、相互に対向する面にそれぞれ凹部及び凸部を有し、
前記第２分割基板及び前記第３分割基板の相互に電気的に接続される前記端部は、相互に対向する面にそれぞれ凹部及び凸部を有し、
前記第１分割基板、前記第２分割基板及び前記第３分割基板のそれぞれの前記第１方向で最も外側に位置する前記発光ダイオードから、前記第１方向に前記凸部が突出し、
前記第１分割基板及び前記第２分割基板は、一方の前記凹部と他方の前記凸部が対向するように配置され、
前記第２分割基板及び前記第３分割基板は、一方の前記凹部と他方の前記凸部が対向するように配置されていることを特徴とするバックライトユニット。
【請求項２４】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
隣同士の前記発光ダイオードのピッチは、前記基板の前記第１方向の中央に近いほど小さくなっており、
前記基板は、前記ピッチが最も小さい位置を避けて、隣同士の前記発光ダイオードの間で、第１分割基板、第２分割基板及び第３分割基板に分割され、
前記第１分割基板の一方の端部に設けられた、ケーブルとの接続用のケーブルコネクタと、
前記第１分割基板の他方の端部と前記第２分割基板の一方の端部とを電気的に接続する第１接続コネクタと、
前記第２分割基板の他方の端部と前記第３分割基板の一方の端部とを電気的に接続する第２接続コネクタと、をさらに有し、
前記第２分割基板に配置された前記発光ダイオードは、前記第１方向に千鳥状に配列され、隣同士の前記発光ダイオードのピッチは、前記千鳥状の配列方向に隣同士の前記発光ダイオードのピッチであり、
前記第１分割基板及び前記第３分割基板のそれぞれに配置された前記発光ダイオードは、前記第１方向に一列で配列されていることを特徴とするバックライトユニット。
【請求項２５】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
前記バックライトは、前記反射シートを第１反射シートとして、前記基板に貼られた第２反射シートをさらに有し、
前記第１反射シートは、前記複数の発光ダイオードをそれぞれ内側に配置する複数の第１穴を有し、
前記第２反射シートは、全体として、前記複数の発光ダイオードをそれぞれ内側に配置する複数の第２穴を有し、
それぞれの前記第１穴の内側にいずれかの前記第２穴の縁部の少なくとも一部が露出し、
前記第２反射シートは、前記基板の中央の第１領域に配置される第１反射ピースと、前記基板の前記第１領域を挟む一対の第２領域に配置される複数の第２反射ピースと、に分割され、
隣同士の前記発光ダイオードのピッチは、前記基板の前記第１方向の中央に近いほど小さくなっており、
少なくとも前記第１領域に配置された前記発光ダイオードは、前記第１方向に千鳥状に配列されており、
前記第２領域に配置された前記発光ダイオードは、前記第１方向に一列で配列されていることを特徴とするバックライトユニット。
【請求項２６】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
前記基板を前記複数の発光ダイオードとは反対側で支持する、前記基板よりも大きい支持板と、
前記基板の上方であって少なくとも１つの前記発光ダイオードの上方に配置されるレンズと、
をさらに有し、
前記レンズは、前記基板の外側で前記支持板に取り付けられていることを特徴とするバックライトユニット。
【請求項２７】
複数の発光ダイオードと、
前記複数の発光ダイオードが搭載された基板と、
前記複数の発光ダイオードを避けて前記基板の前記複数の発光ダイオードが搭載された面に重ねられた反射シートと、
を有し、
前記基板は、
共通する第１方向の幅が、前記第１方向に直交する第２方向の幅よりも長い形状を有し、
複数の前記基板を有し、
前記複数の基板を前記複数の発光ダイオードとは反対側で支持する、前記基板よりも大きい支持板と、
それぞれの前記基板の上方であって少なくとも１つの前記発光ダイオードの上方に配置されるレンズと、
をさらに有し、
前記レンズは、その下に配置される前記基板の外側で前記支持板に取り付けられていることを特徴とするバックライトユニット。
【発明の詳細な説明】
【技術分野】
【０００１】
本発明は、液晶表示装置及びテレビ受像機に関する。
【背景技術】
【０００２】
発光ダイオードはバックライトの光源として使用されるようになってきた。例えば、冷陰極管に代えて発光ダイオードを導光板の端面に配置して導光板によって面発光させるエッジライト方式のバックライトが知られている。あるいは、直下型方式のバックライトに発光ダイオードを使用する例も知られている（特許文献１）。
【先行技術文献】
【特許文献】
【０００３】
【特許文献１】特開２００９−８７８７９号公報
【発明の概要】
【発明が解決しようとする課題】
【０００４】
従来の直下型方式では、液晶表示パネルの全面に対向する領域に発光ダイオードを配列していた。したがって、大型の発光ダイオード用基板が必要であり、使用部品点数の低減及びコスト削減が難しかった。【０００５】
本発明は、発光ダイオード用基板の小型化及びコスト削減を可能にするバックライト及びそれを用いたテレビ受像機を提供することを目的とする。
【課題を解決するための手段】
【０００６】
（１）本発明に係る液晶表示装置は、表示面及び前記表示面とは反対側の裏面を有する液晶表示パネルと、バックライトと、を有し、前記バックライトは、複数の発光ダイオードと、前記複数の発光ダイオードが搭載された基板と、前記複数の発光ダイオードを避けて前記基板の前記複数の発光ダイオードが搭載された面に重ねられた反射シートと、を有し、前記基板の前記複数の発光ダイオードが搭載された前記面が、前記液晶表示パネルの前記裏面と対向し、前記液晶表示パネル及び前記基板は、いずれも、共通する第１方向の幅が、前記第１方向に直交する第２方向の幅よりも長い形状を有し、前記基板は、前記第２方向の幅が前記液晶表示パネルの前記第２方向の幅よりも短く、前記液晶表示パネルの前記第２方向の両端部と対向することを避けて、前記液晶表示パネルの前記両端部の間の中央部と対向することを特徴とする。本発明によれば、発光ダイオードが搭載された基板が小さいので、コスト削減が可能になる。【０００７】
（２）（１）に記載された液晶表示装置において、前記基板の前記第２方向の前記幅は、前記液晶表示パネルの前記第２方向の前記幅の１／３以下であることを特徴としてもよい。【０００８】
（３）（１）又は（２）に記載された液晶表示装置において、前記液晶表示パネル及び前記基板は、前記第１方向に長い長方形であることを特徴としてもよい。【０００９】
（４）（１）から（３）のいずれか１項に記載された液晶表示装置において、前記複数の発光ダイオードは、前記第１方向に一列で配列されていることを特徴としてもよい。【００１０】
（５）（４）に記載された液晶表示装置において、隣同士の前記発光ダイオードのピッチが等しいことを特徴としてもよい。【００１１】
（６）（４）に記載された液晶表示装置において、隣同士の前記発光ダイオードのピッチは、前記基板の前記第１方向の中央に近いほど小さいことを特徴としてもよい。【００１２】
（７）（１）から（３）のいずれか１項に記載された液晶表示装置において、前記複数の発光ダイオードは、前記第１方向に千鳥状に配列されていることを特徴としてもよい。【００１３】
（８）（７）に記載された液晶表示装置において、前記千鳥状の配列方向に隣同士の前記発光ダイオードのピッチが等しいことを特徴としてもよい。【００１４】
（９）（７）に記載された液晶表示装置において、前記千鳥状の配列方向に隣同士の前記発光ダイオードのピッチは、前記基板の前記第１方向の中央に近いほど小さいことを特徴としてもよい。【００１５】
（１０）（１）から（３）のいずれか１項に記載された液晶表示装置において、前記複数の発光ダイオードは、前記第１方向に一列で配列されている第１グループの前記発光ダイオードと、前記第１方向に千鳥状に配列されている第２グループの前記発光ダイオードと、を有することを特徴としてもよい。【００１６】
（１１）（１０）に記載された液晶表示装置において、前記第２グループの前記発光ダイオードは、前記基板の前記第１方向の中央部に配置され、前記第１グループの前記発光ダイオードは、前記基板の前記中央部を挟む両端部のそれぞれに配置されていることを特徴としてもよい。【００１７】
（１２）（１１）に記載された液晶表示装置において、前記第１グループの前記発光ダイオードは、前記第１方向に等ピッチで配列され、前記第２グループの前記発光ダイオードは、前記千鳥状の配列方向に等ピッチで配列されていることを特徴としてもよい。【００１８】
（１３）（１１）に記載された液晶表示装置において、前記第１グループの前記発光ダイオードの隣同士のピッチは、前記基板の前記第１方向の中央に近いほど小さく、前記第２グループの前記発光ダイオードの前記千鳥状の配列方向に隣同士のピッチは、前記基板の前記第１方向の中央に近いほど小さいことを特徴としてもよい。【００１９】
（１４）（１１）から（１３）のいずれか１項に記載された液晶表示装置において、前記基板は、前記中央部の前記第２方向の幅が、前記両端部のそれぞれの前記第２方向の幅よりも広いことを特徴としてもよい。【００２０】
（１５）（１）から（３）のいずれか１項に記載された液晶表示装置において、隣同士の前記発光ダイオードのピッチは、前記基板の前記第１方向の中央に近いほど小さくなっており、前記基板は、前記ピッチが最も小さい隣同士の前記発光ダイオードの間で、第１分割基板及び第２分割基板に分割され、前記第１分割基板及び前記第２分割基板の少なくとも一方は、一方の端部にケーブルとの接続用のケーブルコネクタを有し、前記第１分割基板及び前記第２分割基板が、他方の端部同士を隣り合わせて配置されていることを特徴としてもよい。【００２１】
（１６）（１５）に記載された液晶表示装置において、前記第１分割基板及び前記第２分割基板は、同じ設計で構成され、相互に回転対象の位置関係にあることを特徴としてもよい。【００２２】
（１７）（１６）に記載された液晶表示装置において、前記第１分割基板及び前記第２分割基板の前記他方の端部は、相互に対向する面に凹部及び凸部を有し、前記第１分割基板及び前記第２分割基板は、一方の前記凹部と他方の前記凸部が対向するように配置されていることを特徴としてもよい。【００２３】
（１８）（１７）に記載された液晶表示装置において、前記複数の発光ダイオードは、少なくとも前記第１分割基板及び前記第２分割基板の前記凹部及び前記凸部が形成された前記端部の側で、前記第１方向に千鳥状に配列され、前記第１分割基板及び前記第２分割基板のそれぞれの前記第１方向で最も外側に位置する前記発光ダイオードから、前記第１方向に、前記凸部が突出することを特徴としてもよい。【００２４】
（１９）（１）から（３）のいずれか１項に記載された液晶表示装置において、隣同士の前記発光ダイオードのピッチは、前記基板の前記第１方向の中央に近いほど小さくなっており、前記基板は、前記ピッチが最も小さい位置を避けて、隣同士の前記発光ダイオードの間で、第１分割基板及び第２分割基板に分割され、前記第１分割基板及び前記第２分割基板の少なくとも一方は、一方の端部にケーブルとの接続用のケーブルコネクタを有し、前記第１分割基板及び前記第２分割基板が、他方の端部同士が隣り合うように配置されていることを特徴としてもよい。【００２５】
（２０）（１）から（３）のいずれか１項に記載された液晶表示装置において、隣同士の前記発光ダイオードのピッチは、前記基板の前記第１方向の中央に近いほど小さくなっており、前記基板は、前記ピッチが最も小さい位置を避けて、隣同士の前記発光ダイオードの間で、第１分割基板、第２分割基板及び第３分割基板に分割され、前記第１分割基板の一方の端部に設けられた、ケーブルとの接続用のケーブルコネクタと、前記第１分割基板の他方の端部と前記第２分割基板の一方の端部とを電気的に接続する第１接続コネクタと、前記第２分割基板の他方の端部と前記第３分割基板の一方の端部とを電気的に接続する第２接続コネクタと、をさらに有することを特徴としてもよい。【００２６】
（２１）（２０）に記載された液晶表示装置において、前記複数の発光ダイオードは、前記第１方向に千鳥状に配列され、隣同士の前記発光ダイオードのピッチは、前記千鳥状の配列方向に隣同士の前記発光ダイオードのピッチであることを特徴としてもよい。【００２７】
（２２）（２１）に記載された液晶表示装置において、前記第１分割基板及び前記第２分割基板の相互に電気的に接続される前記端部は、相互に対向する面にそれぞれ凹部及び凸部を有し、前記第２分割基板及び前記第３分割基板の相互に電気的に接続される前記端部は、相互に対向する面にそれぞれ凹部及び凸部を有し、前記第１分割基板、前記第２分割基板及び前記第３分割基板のそれぞれの前記第１方向で最も外側に位置する前記発光ダイオードから、前記第１方向に前記凸部が突出し、前記第１分割基板及び前記第２分割基板は、一方の前記凹部と他方の前記凸部が対向するように配置され、前記第２分割基板及び前記第３分割基板は、一方の前記凹部と他方の前記凸部が対向するように配置されていることを特徴としてもよい。【００２８】
（２３）（２０）に記載された液晶表示装置において、前記第２分割基板に配置された前記発光ダイオードは、前記第１方向に千鳥状に配列され、隣同士の前記発光ダイオードのピッチは、前記千鳥状の配列方向に隣同士の前記発光ダイオードのピッチであり、前記第１分割基板及び前記第３分割基板のそれぞれに配置された前記発光ダイオードは、前記第１方向に一列で配列されていることを特徴としてもよい。【００２９】
（２４）（２３）に記載された液晶表示装置において、前記第２分割基板の前記第２方向の幅が、前記第１分割基板及び前記第３分割基板のいずれの前記第２方向の幅よりも広いことを特徴としてもよい。【００３０】
（２５）（１）から（３）のいずれか１項に記載された液晶表示装置において、前記バックライトは、前記反射シートを第１反射シートとして、前記基板に貼られた第２反射シートをさらに有し、前記第１反射シートは、前記複数の発光ダイオードをそれぞれ内側に配置する複数の第１穴を有し、前記第２反射シートは、全体として、前記複数の発光ダイオードをそれぞれ内側に配置する複数の第２穴を有し、それぞれの前記第１穴の内側にいずれかの前記第２穴の縁部の少なくとも一部が露出することを特徴としてもよい。【００３１】
（２６）（２５）に記載された液晶表示装置において、前記第２反射シートは、複数の反射ピースに分割され、１つの前記反射ピースが、１つの前記発光ダイオードを内側に配置する１つの前記第２穴を有し、隣同士の前記発光ダイオードのピッチは、前記基板の前記第１方向の中央に近いほど小さくなっており、前記複数の反射ピースは、最も前記ピッチの小さい前記発光ダイオードに対応した位置で相互に重ならない大きさ及び形状であることを特徴としてもよい。【００３２】
（２７）（２５）に記載された液晶表示装置において、前記第２反射シートは、前記基板の中央の第１領域に配置される第１反射ピースと、前記基板の前記第１領域を挟む一対の第２領域に配置される複数の第２反射ピースと、に分割され、隣同士の前記発光ダイオードのピッチは、前記基板の前記第１方向の中央に近いほど小さくなっていることを特徴としてもよい。【００３３】
（２８）（２７）に記載された液晶表示装置において、前記第１反射ピースは、２つ又はそれ以上の前記第２穴を有し、それぞれの前記第２反射ピースは、１つの前記第２穴を有していることを特徴としてもよい。【００３４】
（２９）（２７）に記載された液晶表示装置において、前記第１反射ピースは、２つ又はそれ以上の前記第２穴を有し、それぞれの前記第２反射ピースは、２つ又はそれ以上の前記第２穴を有していることを特徴としてもよい。【００３５】
（３０）（２７）から（２９）のいずれか１項に記載された液晶表示装置において、少なくとも前記第１領域に配置された前記発光ダイオードは、前記第１方向に千鳥状に配列されていることを特徴としてもよい。【００３６】
（３１）（３０）に記載された液晶表示装置において、前記第２領域に配置された前記発光ダイオードは、前記第１方向に一列で配列されていることを特徴としてもよい。【００３７】
（３２）（２５）に記載された液晶表示装置において、前記第２反射シートは、複数の反射ピースに分割され、それぞれの前記反射ピースが、２つ又はそれ以上の前記発光ダイオードを内側に配置する２つ又はそれ以上の前記第２穴を有し、前記基板は、複数の分割基板に分割され、それぞれの前記反射ピースは、貼り付けられる前記分割基板と相似形の外形形状を有することを特徴としてもよい。【００３８】
（３３）（２５）に記載された液晶表示装置おいて、前記第２の反射シートは、前記基板上に白レジスト塗布して形成することを特徴としてもよい。【００３９】
（３４）（１）から（３２）のいずれか１項に記載された液晶表示装置において、前記基板を前記複数の発光ダイオードとは反対側で支持する、前記基板よりも大きい支持板と、前記基板の上方であって少なくとも１つの前記発光ダイオードの上方に配置されるレンズと、をさらに有し、前記レンズは、前記基板の外側で前記支持板に取り付けられていることを特徴としてもよい。【００４０】
（３５）（３４）に記載された液晶表示装置において、前記支持板に設けられたスペーサを有し、前記レンズは、前記スペーサを介して前記支持板に支持されていることを特徴としてもよい。【００４１】
（３６）（１）から（３２）のいずれか１項に記載された液晶表示装置において、複数の前記基板を有し、前記複数の基板を前記複数の発光ダイオードとは反対側で支持する、前記基板よりも大きい支持板と、それぞれの前記基板の上方であって少なくとも１つの前記発光ダイオードの上方に配置されるレンズと、をさらに有し、前記レンズは、その下に配置される前記基板の外側で前記支持板に取り付けられていることを特徴としてもよい。【００４２】
（３７）（３６）に記載された液晶表示装置において、前記支持板に設けられたスペーサを有し、前記レンズは、前記スペーサを介して前記支持板に支持されていることを特徴としてもよい。【００４３】
（３８）（３７）に記載された液晶表示装置において、前記スペーサは、少なくとも、隣同士の前記基板の間に分割されないように配置され、一方の前記基板の上方に位置する前記レンズと、他方の前記基板の上方に位置する前記レンズと、の両方が、隣同士の前記基板の間に配置された前記スペーサで支持されることを特徴としてもよい。【００４４】
（３９）（３７）に記載された液晶表示装置において、前記スペーサは、少なくとも、隣同士の前記基板の間で、一方の前記基板に近い第１分割スペーサと他方の前記基板に近い第２分割スペーサに分割されて配置され、一方の前記基板の上方に位置する前記レンズは、前記第１分割スペーサに支持され、他方の前記基板の上方に位置する前記レンズは、前記第２分割スペーサに支持されることを特徴としてもよい。【００４５】
（４０）（１）に記載された液晶表示装置において、前記第1の反射シートは湾曲部を持つことを特徴としてもよい。【００４６】
（４１）本発明に係るテレビ受像機は、（１）から（４０）のいずれか１項に記載された液晶表示装置を有し、テレビジョン放送の電波を受信して映像を表示し音声を出すように構成されたことを特徴とする。【００４７】
（４２）本発明に係るテレビ受像機は、横長の画面を有する液晶表示パネルと、前記液晶表示パネルに重なるバックライトと、スピーカと、チューナと、を有し、前記バックライトは、前記液晶表示パネルに凹面が向くように湾曲部を有する反射シートと、前記液晶表示パネルとは反対側で前記反射シートに重なる基板と、前記基板に搭載されて前記反射シートを貫通して前記凹面側に突出するように配置された複数の点光源と、を有し、それぞれの前記点光源は、前記基板に対して垂直の方向及び他の方向に光を放射し、前記垂直の方向よりも他の方向への光強度が強くなっており、前記複数の点光源は、前記画面の横方向に少なくとも一列で並べられ、前記画面の縦方向の幅が前記画面の縦方向の長さの半分以下である空間領域内に収まるように配列されていることを特徴とする。本発明によれば、複数の点光源が占めるスペースが画面の縦方向に小さいが、光が拡がるように放射され、反射シートの湾曲部によって輝度の変化が緩やかになるため、違和感のない輝度分布を得ることができる。【００４８】
（４３）（４２）に記載されたテレビ受像機において、前記基板の前記画面の縦方向の幅は、前記画面の縦方向の長さの半分以下であることを特徴としてもよい。【００４９】
（４４）（４２）に記載されたテレビ受像機において、前記基板は、前記画面の縦方向に並べられた複数の分割基板からなることを特徴としてもよい。【００５０】
（４５）（４２）に記載されたテレビ受像機において、前記反射シートの前記湾曲部は、第１湾曲部及び第２湾曲部を含み、前記第１湾曲部及び前記第２湾曲部は、前記画面の縦方向で前記複数の点光源を挟む両側にそれぞれ形成されていることを特徴としてもよい。【００５１】
（４６）（４２）に記載されたテレビ受像機において、それぞれの前記点光源は、発光ダイオード及び前記発光ダイオードの外側に配置されたレンズを含むことを特徴としてもよい。【００５２】
（４７）本発明に係るテレビ受像機は、横長の画面を有する液晶表示パネルと、前記液晶表示パネルに重なるバックライトと、スピーカと、チューナと、少なくとも前記液晶表示パネル及び前記バックライトを収容するキャビネットと、を有し、前記バックライトは、前記液晶表示パネルに凹面が向くように湾曲部を有する反射シートと、前記液晶表示パネルとは反対側で前記反射シートに重なる基板と、前記基板に搭載されて前記反射シートを貫通して前記凹面側に突出するように配置された複数の点光源と、を有し、前記複数の点光源は、前記画面の横方向に少なくとも一列で並べられ、それぞれの前記点光源は、前記基板に対して垂直の方向及び他の方向に光を放射し、前記垂直の方向よりも他の方向への光強度が強くなっており、前記基板は、前記キャビネットに固定されていることを特徴とする。本発明によれば、光が拡がるように放射され、反射シートの湾曲部によって輝度の変化が緩やかになるため、違和感のない輝度分布を得ることができ、基板をキャビネットに固定することで薄型化を図ることができる。【００５３】
（４８）（４７）に記載されたテレビ受像機において、前記基板は、前記キャビネットに直接固定されていることを特徴としてもよい。【００５４】
（４９）（４７）に記載されたテレビ受像機において、前記基板が固定された放熱板をさらに有し、前記放熱板は前記キャビネットに固定され、前記基板は、前記放熱板を介して前記キャビネットに固定されていることを特徴としてもよい。【００５５】
（５０）（４７）に記載されたテレビ受像機において、前記チューナを含む回路を有する回路基板を有し、前記反射シートの前記湾曲部は、前記キャビネットから離れるように配置され、前記湾曲部と前記キャビネットとの間のスペースの下方に前記回路基板が配置されていることを特徴としてもよい。【００５６】
（５１）（４７）に記載されたテレビ受像機において、それぞれの前記点光源は、発光ダイオード及び前記発光ダイオードの外側に配置されたレンズを含むことを特徴としてもよい。
【図面の簡単な説明】
【００５７】
【図１】本発明の実施形態に係る液晶表示装置の基本構造を説明するための断面図である。
【図２】バックライトの平面図である。
【図３】本発明の第１の実施形態に係る液晶表示装置における複数の発光ダイオードの配列を説明するための図である。
【図４】第１の実施形態で説明した複数の発光ダイオードの配列の変形例を説明するための図である。
【図５】本発明の第２の実施形態に係る液晶表示装置における複数の発光ダイオードの配列を説明するための図である。
【図６】第２の実施形態で説明した複数の発光ダイオードの配列の変形例を説明するための図である。
【図７】図６に示すように発光ダイオードが配列された構造に対応する反射シートを示す図である。
【図８】本発明の第３の実施形態に係る液晶表示装置における複数の発光ダイオードの配列を説明するための図である。
【図９】第３の実施形態の変形例１を説明するための図である。
【図１０】第３の実施形態の変形例２を説明するための図である。
【図１１】第３の実施形態の変形例３を説明するための図である。
【図１２】本発明の第４の実施形態に係る液晶表示装置における複数の発光ダイオードが搭載された基板を説明するための図である。
【図１３】第４の実施形態で説明した基板の変形例１を説明するための図である。
【図１４】第４の実施形態で説明した基板の変形例２を説明するための図である。
【図１５】本発明の第５の実施形態に係る液晶表示装置における複数の発光ダイオードが搭載された基板を説明するための図である。
【図１６】本発明の第６の実施形態に係る液晶表示装置における複数の発光ダイオードが搭載された基板を説明するための図である。
【図１７】第６の実施形態で説明した基板の変形例１を説明するための図である。
【図１８】第６の実施形態で説明した基板の変形例２を説明するための図である。
【図１９】第６の実施形態で説明した基板の変形例３を説明するための図である。
【図２０】第６の実施形態で説明した基板の変形例４を説明するための図である。
【図２１】本発明の第７の実施形態に係る液晶表示装置におけるバックライトを説明するための図である。
【図２２】反射ピースの変形例を示す図である。
【図２３】反射ピースの変形例を示す図である。
【図２４】第７の実施形態で説明したバックライトの変形例１を説明するための図である。
【図２５】第７の実施形態で説明したバックライトの変形例２を説明するための図である。
【図２６】第７の実施形態で説明したバックライトの変形例３を説明するための図である。
【図２７】第７の実施形態で説明したバックライトの変形例４を説明するための図である。
【図２８】図２８（Ａ）〜図２８（Ｃ）は、本発明の第８の実施形態に係る液晶表示装置におけるバックライトを説明するための図である。
【図２９】第８の実施形態で説明したバックライトの変形例１を説明するための図である。
【図３０】図３０（Ａ）〜図３０（Ｃ）は、第８の実施形態で説明したバックライトの変形例２を説明するための図である。
【図３１】第８の実施形態で説明したバックライトの変形例３を説明するための図である。
【図３２】第８の実施形態で説明したバックライトの変形例４を説明するための図である。
【図３３】本発明の第９の実施形態に係る液晶テレビ受像機の分解斜視図である。
【図３４】図３３に示す液晶テレビ受像機の反射シートよりも後方を示す図である。
【図３５】図３３に示す液晶テレビ受像機の側面図である。
【図３６】図３３に示す液晶テレビ受像機の縦断面概略図である。
【図３７】点光源の光強度分布（指向特性）を示す図である。
【図３８】光強度の測定結果を示す図である。
【図３９】本発明の第１０の実施形態に係る液晶テレビ受像機の反射シートよりも後方を示す図である。
【図４０】液晶テレビ受像機の縦断面概略図である。
【発明を実施するための形態】
【００５８】
以下、本発明の実施形態について、図面を参照して説明する。
【００５９】
［基本構造］
図１は、本発明の実施形態に係る液晶表示装置の基本構造を説明するための断面図である。
【００６０】
液晶表示装置は、液晶表示パネル１０を有する。液晶表示パネル１０は、表示面（図１で左面）及び表示面とは反対側の裏面（図１で右面）を有する。液晶表示パネル１０の裏面に対向するように、拡散シートやプリズムシートなどの複数の光学シート１２が配置されている。
【００６１】
液晶表示装置は、バックライト１４を有する。図２は、バックライト１４の平面図である。液晶表示パネル１０とバックライト１４の間に、光学シート１２が配置されている。バックライト１４は、光源となる複数の発光ダイオード１６を有する。複数の発光ダイオード１６は、ガラスエポキシ樹脂などからなる基板１８に搭載されている。基板１８の複数の発光ダイオード１６が搭載された面が、液晶表示パネル１０の裏面（図１で右面）と対向している。
【００６２】
複数の発光ダイオード１６を避けて、基板１８の複数の発光ダイオード１６が搭載された面に反射シート２０が重ねられている。反射シート２０は、基板１８よりも大きく、基板１８の全体が反射シート２０の一部に重なっている。反射シート２０は例えば樹脂からなる。反射シート２０は、基板１８とは熱膨張率の異なる材料からなる。反射シート２０は、基板１８の表面よりも光の反射率が高くなっている。反射シート２０は、図１に示すように、液晶表示パネル１０の裏面（図１で右面）に対して平行にならないように折り曲げられ又は屈曲している。これにより、反射シート２０で反射した光の方向が調整されている。
【００６３】
発光ダイオード１６が搭載された基板１８は、支持板２２に取り付けられている。支持板２２は、筺体２４の内側に固定されている。筺体２４の内側に、反射シート２０の端部が取り付けられている。
【００６４】
液晶表示パネル１０及び基板１８は、いずれも、共通する第１方向Ｄ１（図１で紙面の表裏方向、図２で左右方向）の幅が、第１方向Ｄ１に直交する第２方向Ｄ２（図１又は図２で上下方向）の幅よりも長い形状を有する。例えば、液晶表示パネル１０及び基板１８は、いずれも平面形状が第１方向Ｄ１に長い長方形である。
【００６５】
基板１８は、図１に示すように、第２方向Ｄ２の幅が、液晶表示パネル１０の第２方向Ｄ２の幅よりも短い。基板１８の第２方向Ｄ２の幅は、液晶表示パネル１０の第２方向Ｄ２の幅の１／３以下である。基板１８は、液晶表示パネル１０の第２方向Ｄ２の両端部と対向することを避けて、液晶表示パネル１０の両端部の間の中央部と対向する。
【００６６】
本実施形態によれば、発光ダイオード１６が搭載された基板１８が搭載された基板１８が小さいので、コスト削減及びバックライト１４の小型化が可能になる。
【００６７】
基本構造について上述した内容は、以下のいずれの実施形態にも該当する。
【００６８】
［第１の実施形態］
図３は、本発明の第１の実施形態に係る液晶表示装置における複数の発光ダイオードの配列を説明するための図である。
【００６９】
本実施形態では、複数の発光ダイオード１１６は、第１方向Ｄ１に一列で配列されている。また、隣同士の発光ダイオード１１６のピッチが等しくなっている。
【００７０】
図４は、第１の実施形態で説明した複数の発光ダイオード１１６の配列の変形例を説明するための図である。この例では、複数の発光ダイオード１１６は、不均等なピッチで配列されている。詳しくは、隣同士の発光ダイオード１１６のピッチは、基板１１８の第１方向Ｄ１の中央に近いほど小さくなっている。
【００７１】
［第２の実施形態］
図５は、本発明の第２の実施形態に係る液晶表示装置における複数の発光ダイオードの配列を説明するための図である。
【００７２】
本実施形態では、複数の発光ダイオード２１６は、第１方向Ｄ１に千鳥状（ジグザグ）に配列されている。また、千鳥状の配列方向に隣同士の（斜めに隣り合う）発光ダイオード２１６のピッチが等しい。
【００７３】
図６は、第２の実施形態で説明した複数の発光ダイオード２１６の配列の変形例を説明するための図である。この例では、複数の発光ダイオード２１６は、不均等なピッチで配列されている。一例としては、千鳥状の配列方向に隣同士の発光ダイオード２１６のピッチは、基板２１８の第１方向Ｄ１の中央付近で密になり、基板２１８の端付近では疎になっている。
【００７４】
図７は、図６に示すように発光ダイオード２１６が配列された構造に対応する反射シート２２０を示す図である。反射シート２２０は、複数の発光ダイオード２１６を１つずつ内側に配置するための複数の穴２２６を有する。複数の穴２２６は、図６に示す発光ダイオード２１６の配列に対応して、第１方向Ｄ１に千鳥状に配列されている。複数の穴２２６は、不均等なピッチで配列されている。詳しくは、千鳥状の配列方向に隣同士の穴２２６のピッチは、基板２１８の第１方向Ｄ１の中央に近いほど小さくなっている。
【００７５】
反射シート２２０は、基板２１８（図６参照）に平行に対向する平坦領域２２８を有する。平坦領域２２８に複数の穴２２６が形成されている。反射シート２２０は、平坦領域２２８に斜めに接続する第１傾斜領域２３０を有する。第１傾斜領域２３０は、平坦領域２２８の第１方向Ｄ１に延びる一対の辺のそれぞれに接続している。反射シート２２０が折り曲げられて、平坦領域２２８と第１傾斜領域２３０の境界が現れている。第１傾斜領域２３０は、基板２１８とは反対側の面（光が反射する面）が凹面になるように湾曲している。
【００７６】
反射シート２２０は、平坦領域２２８に斜めに接続する第２傾斜領域２３２を有する。平坦領域２２８の第２方向Ｄ２に延びる一対の辺のそれぞれに第２傾斜領域２３２が接続している。反射シート２２０が折り曲げられて、平坦領域２２８と第２傾斜領域２３２の境界が現れている。一対の第１傾斜領域２３０の間に１つの第２傾斜領域２３２が位置し、一対の第２傾斜領域２３２の間に１つの第１傾斜領域２３０が位置している。
【００７７】
［第３の実施形態］
図８は、本発明の第３の実施形態に係る液晶表示装置における複数の発光ダイオードの配列を説明するための図である。
【００７８】
本実施形態では、複数の発光ダイオード３１６は、第１グループ及び第２グループに分けられる。第１グループの発光ダイオード３１６ａは、第１方向Ｄ１に一列で配列されている。第１グループの発光ダイオード３１６ａは、基板３１８の中央部を挟む両端部のそれぞれに配置されている。第１グループの発光ダイオード３１６ａは、第１方向Ｄ１に等ピッチで配列されている。
【００７９】
第２グループの発光ダイオード３１６ｂは、第１方向Ｄ１に千鳥状に配列されている。第２グループの発光ダイオード３１６ｂは、基板３１８の第１方向Ｄ１の中央部に配置されている。第２グループの発光ダイオード３１６ｂは、千鳥状の配列方向に等ピッチで配列されている。
【００８０】
図９は、第３の実施形態の変形例１を説明するための図である。この例では、基板３２０は、中央部３２０ｂの第２方向Ｄ２の幅が、両端部３２０ａのそれぞれの第２方向Ｄ２の幅よりも広くなっており、この点で、図８に示す基板３１８と異なる。
【００８１】
図１０は、第３の実施形態の変形例２を説明するための図である。この例では、第１グループの発光ダイオード３１６ｃの隣同士のピッチは、基板３１８の第１方向Ｄ１の中央に近いほど小さくなっている。また、第２グループの発光ダイオード３１６ｄの千鳥状の配列方向に隣同士のピッチは、基板３１８の第１方向Ｄ１の中央に近いほど小さくなっている。
【００８２】
図１１は、第３の実施形態の変形例３を説明するための図である。この例では、基板３２０は、中央部３２０ｂの第２方向Ｄ２の幅が、両端部３２０ａのそれぞれの第２方向Ｄ２の幅よりも広くなっており、この点で、図１０に示す基板３１８と異なる。
【００８３】
［第４の実施形態］
図１２は、本発明の第４の実施形態に係る液晶表示装置における複数の発光ダイオードが搭載された基板を説明するための図である。
【００８４】
本実施形態では、隣同士の発光ダイオード４１６のピッチは、基板４１８の第１方向Ｄ１の中央に近いほど小さくなっている。また、基板４１８は、ピッチが最も小さい隣同士の発光ダイオード４１６の間で、第１分割基板４３８及び第２分割基板４４０に分割されている。第１分割基板４３８及び第２分割基板４４０は、同じ設計で構成され、相互に回転対象の位置関係にある。その場合の回転対象の回転の中心は、第１分割基板４３８及び第２分割基板４４０の間に位置する。
【００８５】
第１分割基板４３８及び第２分割基板４４０の少なくとも一方（図１２の例では両方）は、一方の端部にケーブル４３４との接続用のケーブルコネクタ４３６を有している。そして、第１分割基板４３８及び第２分割基板４４０が、他方の端部同士を隣り合わせて配置されている。
【００８６】
図１３は、第４の実施形態で説明した基板４１８の変形例１を説明するための図である。この例では、第１分割基板４４６及び第２分割基板４４８の隣り合う端部は、相互に対向する面に凹部４４２及び凸部４４４を有している。第１分割基板４４６及び第２分割基板４４８は、一方の凹部４４２と他方の凸部４４４が対向するように配置されている。
【００８７】
複数の発光ダイオード４１６は、少なくとも第１分割基板４４６及び第２分割基板４４８の凹部４４２及び凸部４４４が形成された端部の側では、第１方向Ｄ１に千鳥状に配列されている。詳しくは、第１分割基板４４６及び第２分割基板４４８のいずれも、短辺方向の幅が広い部分４５０と狭い部分４５２とを有しており、広い部分４５０で、複数の発光ダイオード４１６は千鳥状に配列されている。第１分割基板４４６及び第２分割基板４４８のそれぞれの第１方向Ｄ１で最も外側に位置する発光ダイオード４１６から、第１方向Ｄ１に、凸部４４４が突出している。凸部４４４と凹部４４２は隣接して形成されており、両者を区画する辺が、第１方向Ｄ１に平行に延びている。
【００８８】
図１４は、第４の実施形態で説明した基板４１８の変形例２を説明するための図である。この例では、複数の発光ダイオード４１６は、第１分割基板４５４の全体及び第２分割基板４５６の全体にわたって、第１方向Ｄ１に千鳥状に配列されている。そのため、図１３の例とは異なり、第１分割基板４５４及び第２分割基板４５６は、それぞれ、短辺方向の幅が一定である。図１４において、凸部と凹部を区画する辺４５８は、第１方向Ｄ１に交差するように斜めに延びている。
【００８９】
［第５の実施形態］
図１５は、本発明の第５の実施形態に係る液晶表示装置における複数の発光ダイオードが搭載された基板を説明するための図である。
【００９０】
本実施形態では、隣同士の発光ダイオード５１６のピッチは、基板５１８の第１方向Ｄ１の中央に近いほど小さくなっている。基板５１８は、隣同士の発光ダイオード５１６のピッチが最も小さい位置を避けて、隣同士の発光ダイオード５１６の間で、第１分割基板５３８及び第２分割基板５４０に分割されている。第１分割基板５３８及び第２分割基板５４０の少なくとも一方（図１５の例では両方）は、端部にケーブル５３４との接続用のケーブルコネクタ５３６を有している。第１分割基板５３８及び第２分割基板５４０が、端部同士が隣り合うように配置されている。
【００９１】
［第６の実施形態］
図１６は、本発明の第６の実施形態に係る液晶表示装置における複数の発光ダイオードが搭載された基板を説明するための図である。
【００９２】
本実施形態では、隣同士の発光ダイオード６１６のピッチは、基板６１８の第１方向Ｄ１の中央に近いほど小さくなっている。基板６１８は、ピッチが最も小さい位置を避けて、隣同士の発光ダイオード６１６の間で、第１分割基板６３８、第２分割基板６４０及び第３分割基板６４６に分割されている。
【００９３】
第１分割基板６３８の一方の端部には、ケーブル６３４との接続用のケーブルコネクタ６３６が設けられている。第１分割基板６３８の他方の端部と第２分割基板６４０の一方の端部とは、第１接続コネクタ６４８によって電気的に接続されている。第２分割基板６４０の他方の端部と第３分割基板６４６の一方の端部とは、第２接続コネクタ６５０によって電気的に接続されている。
【００９４】
図１７は、第６の実施形態で説明した基板６１８の変形例１を説明するための図である。この例では、複数の発光ダイオード６１６は、第１方向Ｄ１に千鳥状に配列されている。隣同士の発光ダイオード６１６のピッチは、千鳥状の配列方向に隣同士の発光ダイオード６１６のピッチである。
【００９５】
図１８は、第６の実施形態で説明した基板６１８の変形例２を説明するための図である。この例では、第１分割基板６５２及び第２分割基板６５４の相互に電気的に接続される端部は、相互に対向する面にそれぞれ凹部６４２及び凸部６４４を有している。第２分割基板６５４及び第３分割基板６５６の相互に電気的に接続される端部は、相互に対向する面にそれぞれ凹部６４２及び凸部６４４を有している。
【００９６】
第１分割基板６５２、第２分割基板６５４及び第３分割基板６５６のそれぞれの第１方向Ｄ１で最も外側に位置する発光ダイオード６１６から、第１方向Ｄ１に凸部６４４が突出している。
【００９７】
第１分割基板６５２及び第２分割基板６５４は、一方の凹部６４２と他方の凸部６４４が対向するように配置されている。第２分割基板６４０及び第３分割基板６４６は、一方の凹部６４２と他方の凸部６４４が対向するように配置されている。
【００９８】
図１９は、第６の実施形態で説明した基板６１８の変形例３を説明するための図である。この例では、第２分割基板６６０に配置された発光ダイオード６１６は、第１方向Ｄ１に千鳥状に配列されている。隣同士の発光ダイオード６１６のピッチは、千鳥状の配列方向に隣同士の発光ダイオード６１６のピッチである。これに対して、第１分割基板６５８及び第３分割基板６６２のそれぞれに配置された発光ダイオード６１６は、第１方向Ｄ１に一列で配列されている。
【００９９】
図２０は、第６の実施形態で説明した基板６１８の変形例４を説明するための図である。この例では、第２分割基板６６６の第２方向Ｄ２の幅が、第１分割基板６６４及び第３分割基板６６８のいずれの第２方向Ｄ２の幅よりも広い。
【０１００】
［第７の実施形態］
図２１は、本発明の第７の実施形態に係る液晶表示装置におけるバックライトを説明するための図である。
【０１０１】
本実施形態では、発光ダイオード７１６は、第１方向Ｄ１に千鳥状に配列されている。バックライト７１４は、基板７１８に重ねられる第１反射シート７７８を有する。第１反射シート７７８は、複数の発光ダイオード７１６をそれぞれ内側に配置する複数の第１穴７５２を有している。
【０１０２】
バックライト７１４は、基板７１８に貼られた第２反射シート７２２を有する。第２反射シート７２２は、複数の反射ピース７５８に分割されている。第２反射シート７２２は、全体として、複数の発光ダイオード７１６をそれぞれ内側に配置する複数の第２穴７５４を有している。１つの反射ピース７５８が、１つの発光ダイオード７１６を内側に配置する１つの第２穴７５４を有している。それぞれの第１穴７５２の内側にいずれかの第２穴７５４の縁部の少なくとも一部が露出する。つまり、基板７１８に貼られた第２反射シート７２２（複数の反射ピース７５８）の上に第１反射シート７７８が重なっている。
【０１０３】
隣同士の発光ダイオード７１６のピッチは、基板７１８の第１方向Ｄ１の中央に近いほど小さくなっている。そして、複数の反射ピース７５８は、最もピッチの小さい発光ダイオード７１６に対応した位置で、相互に重ならない大きさ及び形状である。
【０１０４】
図２１に示す反射ピース７５８は矩形の外形を有するが、図２２に示すように六角形の外形を有する反射ピース７２４や、図２３に示すように円形の外形を有する反射ピース７２６を使用してもよい。
【０１０５】
図２４は、第７の実施形態で説明したバックライトの変形例１を説明するための図である。この例では、隣同士の発光ダイオード７１６のピッチは、基板７１８の第１方向Ｄ１の中央に近いほど小さくなっている。第２反射シート７３２は、第１反射ピース７６２と、複数の第２反射ピース７６４と、に分割されている。第１反射ピース７６２は、基板７１８の中央の第１領域７５６に配置されている。第１反射ピース７６２は、２つ又はそれ以上の第２穴７５４を有している。複数の第２反射ピース７６４は、基板７１８の第１領域７５６を挟む一対の第２領域７６０に配置されている。それぞれの第２反射ピース７６４は、１つの第２穴７５４を有している。
【０１０６】
図２５は、第７の実施形態で説明したバックライトの変形例２を説明するための図である。この例では、第１反射ピース７８２は、２つ又はそれ以上の第２穴７８４を有している。それぞれの第２反射ピース７８６は、２つ又はそれ以上の第２穴７８８を有している。その他の内容は上記変形例１の内容が該当する。
【０１０７】
図２６は、第７の実施形態で説明したバックライトの変形例３を説明するための図である。この例では、第２領域７９０に配置された発光ダイオード７１６は、第１方向Ｄ１に一列で配列されている。
【０１０８】
図２７は、第７の実施形態で説明したバックライトの変形例４を説明するための図である。この例では、第２反射シート７９２は、複数の反射ピース７９４に分割されている。それぞれの反射ピース７９４が、２つ又はそれ以上の発光ダイオード７１６を１つずつ内側に配置する２つ又はそれ以上の第２穴７９６を有している。基板７９８は、複数の分割基板８００に分割されている。それぞれの反射ピース７９４は、貼り付けられる分割基板８００と相似形の外形形状を有する。
【０１０９】
［第８の実施形態］
図２８（Ａ）は、本発明の第８の実施形態に係る液晶表示装置におけるバックライトを説明するための図である。
【０１１０】
本実施形態では、基板８１８の上方であって少なくとも１つの発光ダイオード８１６の上方にレンズ８６６が配置されている。基板８１８は、複数の発光ダイオード８１６とは反対側で支持板８２２によって支持されている。支持板８２２は基板８１８よりも大きい。
【０１１１】
レンズ８６６は、基板８１８の外側で支持板８２２に取り付けられている。例えば、接着剤８６８によってレンズ８６６は支持板８２２に接着されている。図２８（Ａ）に示すように、１２０°回転した３個所にそれぞれ接着剤８６８を設けてもよいし、図２８（Ｂ）に示すように、１８０°回転した２個所にそれぞれ接着剤８６８を設けてもよいし、図２８（Ｃ）に示すように、９０°回転した４個所にそれぞれ接着剤８６８を設けてもよい。
【０１１２】
図２９は、第８の実施形態で説明したバックライトの変形例１を説明するための図である。この例では、支持板８２２にスペーサ８７０が設けられており、レンズ８６６は、スペーサ８７０を介して支持板８２２に支持されている。
【０１１３】
図３０（Ａ）は、第８の実施形態で説明したバックライトの変形例２を説明するための図である。この例では、複数の基板８１８が、複数の発光ダイオード８１６とは反対側で、基板８１８よりも大きい支持板８２２によって支持されている。それぞれの基板８１８の上方であって少なくとも１つの発光ダイオード８１６の上方にレンズ８６６が配置されている。レンズ８６６は、その下に配置される基板８１８の外側で支持板８２２に取り付けられている。
【０１１４】
レンズ８６６は、基板８１８の外側で支持板８２２に取り付けられている。例えば、接着剤８６８によってレンズ８６６は支持板８２２に接着されている。図３０（Ａ）に示すように、１２０°回転した３個所にそれぞれ接着剤８６８を設けてもよいし、図３０（Ｂ）に示すように、１８０°回転した２個所にそれぞれ接着剤８６８を設けてもよいし、図３０（Ｃ）に示すように、９０°回転した４個所にそれぞれ接着剤８６８を設けてもよい。
【０１１５】
図３１は、第８の実施形態で説明したバックライトの変形例３を説明するための図である。この例では、支持板８２２にスペーサ８８０が設けられている。レンズ８６６は、スペーサ８８０を介して支持板８２２に支持されている。スペーサ８８０は、少なくとも、隣同士の基板８１８の間に分割されないように配置されている。一方の基板８１８の上方に位置するレンズ８６６と、他方の基板８１８の上方に位置するレンズ８６６と、の両方が、隣同士の基板８１８の間に配置されたスペーサ８８０で支持されている。
【０１１６】
図３２は、第８の実施形態で説明したバックライトの変形例４を説明するための図である。この例では、スペーサ８９０は、第１分割スペーサ８９２と第２分割スペーサ８９４に分割されている。隣同士の基板８１８の間で、第１分割スペーサ８９２は一方の基板８１８に近く、第２分割スペーサ８９４は他方の基板８１８に近くなるように配置されている。一方の基板８１８の上方に位置するレンズ８６６は、第１分割スペーサ８９２に支持されている。他方の基板８１８の上方に位置するレンズ８６６は、第２分割スペーサ８９４に支持されている。
【０１１７】
上記いずれかの実施形態に記載された液晶表示装置を組み込んで、テレビジョン放送の電波を受信して映像を表示し音声を出すテレビ受像機を構成することができる。以下、液晶テレビ受像機の例を説明する。
【０１１８】
［第９の実施形態］
図３３は、本発明の第９の実施形態に係る液晶テレビ受像機の分解斜視図である。図３４は、図３３に示す液晶テレビ受像機の反射シートよりも後方を示す図である。図３５は、図３３に示す液晶テレビ受像機の側面図である。図３６は、図３３に示す液晶テレビ受像機の縦断面概略図である。
【０１１９】
液晶テレビ受像機は、横長の画面を有する液晶表示パネル９００を有する。液晶テレビ受像機の画面のアスペクト比（横寸法と縦寸法の比）は１６対９である。液晶表示パネル９００は、前方側（画像を表示する側）が上フレーム９０２に支持され、後方側がモールドフレーム９０４で支持されている。液晶テレビ受像機は、液晶表示パネル９００に重なるバックライト９０６を有する。
【０１２０】
液晶表示パネル９００、上フレーム９０２、モールドフレーム９０４及びバックライト９０６は、フロントキャビネット９０８及びバックキャビネット９１０からなるキャビネット９１２に収容される。フロントキャビネット９０８は樹脂から構成され、バックキャビネット９１０は塗装された金属又は樹脂からなる。キャビネット９１２は、台座９１４及び脚９１６からなるスタンド９１８で支持されている。図３５に示すように、キャビネット９１２の側面には表示するチャンネルの選択をしたり、音量を制御するスイッチ９２０が配置されている。
【０１２１】
バックキャビネット９１０の下部後方には、カバー９２２が取り付けられている。カバー９２２の内部には、スピーカ９２４及び回路基板９２６が配置されている。回路基板９２６は、様々な周波数の電波の中から特定の周波数の電波を選び出すための同調回路（チューナ）を備えている。
【０１２２】
バックライト９０６は、液晶表示パネル９００に凹面が向くように湾曲部９２８を有する反射シート９３０を有する。反射シート９３０の湾曲部９２８は、キャビネット９１２から離れるように配置されている（図３６参照）。湾曲部９２８は、第１湾曲部９３２及び第２湾曲部９３４を含む。第１湾曲部９３２及び第２湾曲部９３４は、画面の縦方向で複数の点光源９３６を挟む両側にそれぞれ形成されている。湾曲部９２８とバックキャビネット９１０との間のスペースの下方に回路基板９２６が配置されている（図３６参照）。
【０１２３】
バックライト９０６は、液晶表示パネル９００とは反対側で反射シート９３０に重なる基板９３８を有する。基板９３８の画面の縦方向の幅は、画面の縦方向の長さの半分以下である。基板９３８は、キャビネット９１２に固定される。基板９３８は、キャビネット９１２に直接固定されていてもよいし、放熱板９４０を介してキャビネット９１２に固定されていてもよい。図３３は後者の例であり、基板９３８が放熱板９４０に固定され、放熱板９４０がキャビネット９１２に固定された構造である。尚、基板９３８と放熱板９４０は、図１の基板１８と支持板２２に相当する構成である。
【０１２４】
本実施形態では、画面のほぼ中央に対応する位置に、発光ダイオード９４２（図３６参照）を含む点光源９３６が、横方向に長い長方形の基板９３８上に搭載されている。基板９３８は、プリント配線基板を使用することができる。基板９３８は、バックキャビネット９１０にネジ止めされるか、アルミニウムなどの金属の放熱板９４０にネジ止めされ、さらに放熱板９４０がバックキャビネット９１０に止めるかの方法で固定される。発光ダイオード９４２は上下方向には千鳥状に２列で、横方向に延びるように配置されている。正面から見て、基板９３８の寸法ＹＬは、液晶表示パネル９００の画面の高さＹＨの１／３以下になるように設定されている。
【０１２５】
バックライト９０６は、基板９３８に搭載されて反射シート９３０を貫通して湾曲部９２８の凹面側に突出するように配置された複数の点光源９３６を有する。複数の点光源９３６は、画面の横方向に少なくとも一列で並べられ、画面の縦方向の幅が画面の縦方向の長さの半分以下である空間領域内に収まるように配列されている。それぞれの点光源９３６は、図３６に示すように、発光ダイオード９４２及びその外側に配置されたレンズ９４４を含む。基板９３８には、発光ダイオード９４２を覆うように、アクリル樹脂を用いたレンズ９４４が搭載されている。
【０１２６】
点光源９３６は、基板９３８に対して垂直の方向及び他の方向に光を放射し、垂直の方向よりも他の方向への光強度が強くなっている。レンズ９４４は発光ダイオード９４２からの放射光を正面方向に比べて視角方向により広げて放射する広配光特性を有する。点光源９３６のこのような光強度分布（指向特性）を図３７に示す。また、図３８は、レンズ９４４を出た光強度の測定結果を示す図である。なお、角度の数値は、点光源９３６からの光の出射方向を表すものであり、０°が液晶表示パネル９００に対向する面側（基板９３８の平面の鉛直方向）であり、±９０°は基板９３８の平面と平行な方向に相当する。
【０１２７】
液晶テレビ受像機の特徴の１つは、画面の縦方向に沿って、基板９３８の縦方向寸法ＹＬが画面寸法ＹＨの１/３以下と小さくしているにも関わらず、明るく、画面全体に輝度の均一性が高いと感じる高画質の性能を有していることである。
【０１２８】
従来の液晶テレビ受像機では、複数の発光ダイオードを配置した基板を複数配置し、基板間の領域でも輝度が均一もしくは輝度変化が滑らかになるようになっていた。具体的には発光ダイオードを多数用いて、発光ダイオード間隔を短くして輝度変化を滑らかにして、それぞれ個々の発光ダイオード配置が光学的に認識できないように配置されていた。広配向レンズを発光ダイオード上部に配置することで、複数の基板の間隔を広げる場合もあるが、基板の寸法は画面の半分より大きくなっていた。
【０１２９】
本実施形態では、縦方向に最も離れた一対のレンズ９４４の反対方向を向く外面の間の寸法が、画面寸法ＹＨの１/３以下である。発光ダイオード９４２が横方向に1列に配置されている場合、レンズ９４４の縦方向の幅（直径）が画面寸法ＹＨの１/３以下である。発光ダイオード９４２及びレンズ９４４は、コストを低減するため、基板９３８の外にはみ出さない寸法になっており、最小の寸法に設定されている。
【０１３０】
本実施形態では、基板９３８の縦寸法ＹＬあるいは縦方向に２列に並んだレンズ９４４の外郭間の寸法は、画面の縦寸法の１/３以下となっている。これにより、発光ダイオード９４２の数を少なくしても、明るく輝度分布が自然で滑らかになるので、コストを大きく低減できる。
【０１３１】
本実施形態では、画面縦方向（画面の短辺方向）の寸法ＹＨから、基板９３８の縦寸法ＹＬを除いた長さの幅を有するように、反射シート９３０の湾曲部９２８が配置されている。湾曲部９２８の幅がＹＨの１／２以上であれば、画面の輝度分布が正面から見ても違和感がなく、しかも発光ダイオード９４２数を大幅に削減することができ、コストを低減することができる。すなわち、点光源９３６が収まる空間領域よりも、湾曲部９２８による反射領域を大きくすることで、コストを削減できることになる。
【０１３２】
基板９３８上に配置された発光ダイオード９４２から放射された光は、発光ダイオード９４２の上方に配置されたアクリル樹脂で構成されたレンズ９４４により広げられる。その配光特性は、正面方向より斜め方向への光強度が強くなっている。複数の発光ダイオード９４２それぞれに広配光のレンズ９４４が装着されているため、基板９３８から垂直方向（画面への方向）にある拡散板９４６までの距離（以下内厚Ｚｄとする）の空間において、正面への放射光より、基板９３８から画面の周辺方向への放射光の光強度が大きくなっている。レンズ９４４から正面に放射された光の一部は拡散板９４６を透過し、液晶表示パネル９００を通して画像として表示される。また一部の光は、拡散板９４６で反射し、反射シート９３０で反射して、正面でない方向へも放射される。また、レンズ９４４から直接反射シート９３０に入り、さまざまな方向に放射される光もある。レンズ９４４から放射された光は、湾曲部９２８を有する反射シート９３０と拡散板９４６間の空間で反射を繰り返し、拡散板９４６を通じて画面の概ね全面を透過する。
【０１３３】
上記構成の液晶テレビ受像機の輝度性能は、正面から測定した最大輝度を１００％とすると周辺が３０％程度と暗い状態である。画面正面の中央輝度と平均輝度の比は１．６５となっている。しかし、反射シート９３０の湾曲部９２８がなだらかに湾曲しているため、基板９３８から画面の縦方向に輝度がなだらかに変化している。そのため、中央輝度と平均輝度が１．６５と大きいにも関わらず、その分布に大きな変局点がないため違和感の少ない画像を提供することができる。
【０１３４】
中央輝度と平均輝度が１．６５以上でも違和感のない滑らかな輝度分布が得られることは、逆に言えば、発光ダイオード９４２数を低減し、基板９３８幅を狭くすることができ、コストを低減できるということである。
【０１３５】
なお、中央の輝度が明るく、画面周辺に向かうにつれて、滑らかな輝度分布を以て輝度が低下する特性は、正面への光放射を遮断する構造を設けると実現することができない。その場合、中央に暗い状態となるので違和感のある表示分布となる。従って、個々の発光ダイオード９４２とそれに近いレンズ９４４を含む点光源９３６の光出射特性は、正面にも所定の出力がある。
【０１３６】
バックキャビネット９１０は、液晶テレビ受像機の最外表面を構成している。基板９３８は、放熱板９４０にネジ止めされ、発光ダイオード９４２からの熱を基板９３８及び放熱板９４０で放熱することで、発光ダイオード９４２の接合温度を所定の値に抑えている。放熱板９４０は、液晶テレビ受像機の仕様輝度が低い場合、除去可能である。この場合、基板９３８が直接バックキャビネット９１０に固定される。この場合で、発光ダイオード９４２の放熱は基板９３８のみによってなされるが、基板９３８の放熱効果でも、発光ダイオード９４２の接合温度を所定の値に抑えることが可能である。
【０１３７】
基板９３８と反射シート９３０は、バックキャビネット９１０に近接して固定されているので、液晶テレビ受像機の薄型化を実現することができる。この構造により、輝度性能を、違和感のない均一性を保つようにしながら、液晶テレビ受像機の厚さを薄くすることが可能になっている。
【０１３８】
従来のバックライト構造では、発光ダイオードを搭載する基板は、鉄やアルミニウムで構成された液晶表示装置のバックフレーム（図示せず）に固定され、このバックフレームの外部に発光ダイオードを駆動する電源や液晶表示パネルのゲート信号線やドレイン信号線を制御するタイミングコントローラの基板を配置し、さらにその外部にテレビ受像機のバックキャビネットが配置されていた。そのため、バックライトの拡散板と発光ダイオードの内厚距離に加えて、バックフレームとバックキャビネットの距離も必要になり厚くなっていた。
【０１３９】
本実施形態では、レンズ９４４から、正面よりも周辺により高い輝度で放射された光は、所定の空間（内厚Ｚｄ）を経て、拡散板９４６及び液晶表示パネル９００を透過し、これにより画像が表示される。基板９３８と放熱板９４０は接触し、放熱板９４０とバックキャビネット９１０はネジで固定されているので、内厚Ｚｄ以外に不要な空間距離がなく液晶テレビ受像機の厚さは薄型化されている。
【０１４０】
液晶テレビ受像機の薄型化は、電源回路、映像回路、同調回路（チューナ）、液晶表示パネル９００のタイミング回路を有する回路基板９２６の配置によっても実現されている。詳しくは、反射シート９３０の湾曲部９２８がバックキャビネット９１０から離れる方向に湾曲しているので、湾曲部９２８とバックキャビネット９１０の間に広いスペースを得ることができる。液晶テレビ受像機の下部には電源回路、映像回路、同調回路（チューナ）、液晶表示パネル９００のタイミング回路を有する回路基板９２６がコンパクトに格納されている。これにより発光ダイオード９４２が搭載された基板９３８又は放熱板９４０とバックキャビネット９１０の間にスペースを取ることがない。このような構造により、湾曲した反射シート９３０を用いるにも関わらず、テレビ受像機として、薄型化を実現することが出来る。
【０１４１】
次に、液晶テレビ受像機の製造工程を、図３３〜図３６を参照して説明する。例えば、鉄を材料とする部材に塗装を施してなるバックキャビネット９１０に、内側より壁掛け金具９４８を取り付ける。壁掛け金具９４８はバックキャビネット９１０の強度を補強する。バックキャビネット９１０の背後から壁掛けする際の受けネジ穴が壁掛け金具９４８に形成されている。バックキャビネット９１０の内側には例えば、アルミニウムを材料とする放熱板９４０を固定する。
【０１４２】
次に、発光ダイオード９４２を搭載した基板９３８を放熱板９４０に取り付ける。発光ダイオード９４２上にはアクリルを用いた広配光のレンズ９４４をキャッピングし、これを接着材で固定してある。液晶テレビ受像機の輝度仕様に応じて、発光ダイオード９４２の接合温度に余裕がある場合、基板９３８をバックキャビネット９１０に直接取り付けても良い。ここで、基板９３８の表面には、発光ダイオード９４２周辺に、第７の実施形態の第２反射シート７２２で示したような反射シートが貼られている。発光ダイオード９４２から放射された光を再反射しやすいように、第２反射シート７２２のようなシートに代えて、基板９３８上に白レジストを塗布しておいてもよい。
【０１４３】
図３４に示すコネクタ９５０は基板９３８上の点光源９３６に至る配線の電気的な接続部である。コネクタ９５０には、配線９５１が接続され、バックキャビネット９１０に形成された取り出し穴９５２を介して、バックキャビネット９１０の背面に引き出され、回路基板９２６へ接続される（図３６参照）。回路基板９２６は、発光ダイオード９４２を制御するインバータ回路が含まれる。また、取り出し穴９５２は、後述するカバー９２２と重複する位置に開けられている。これにより、バックキャビネット９１０内部に外部からの塵等が侵入することを防止している。
【０１４４】
次に、表面が光拡散性を有し、画面の縦方向で湾曲し、レンズ９４４を挿通するためにレンズ９４４直径より大きい穴を有する反射シート９３０を取り付ける。この上方に、厚さが１．５から３ｍｍの拡散板９４６、プリズムシート９５０及び拡散シート９５２を配置する。基板９３８と拡散板９４６の裏面の空間（内厚Ｚｄ）で、発光ダイオード９４２からの直接光と反射シート９３０からの２次光である反射光を合成する。
【０１４５】
次に、光学シート類を、樹脂材料で作成した４分割されたモールドフレーム９０４で固定する。この上方に液晶表示パネル９００を配置する。液晶表示パネル９００は、２枚のガラス基板内に液晶を封入し一方の基板（ＴＦＴ基板）にＴＦＴ（Thin Film Transistor）並びにドレイン信号線及びゲート信号線が形成され、他の基板にはカラーフィルタが形成された構成である。ＴＦＴ基板上のゲート信号線及びドレイン信号線は、外部に引き出されて、ドライバＩＣ及びこれが搭載されたドレイン基板に接続される。ガラス基板のそれぞれの表面には偏光板が貼られている。ドレイン基板は、フレキシブルケーブルで、映像信号を供給するタイミングコントロール回路に電気的に接続される。液晶表示パネル９００の上方に、ドライバＩＣからの電磁波を防止し、液晶表示パネル９００を固定するための鉄で形成された上フレーム９０２を取り付ける。
【０１４６】
最終的に液晶テレビ受像機を完成するためには、上フレーム９０２の表面に樹脂材料で構成されたフロントキャビネット９０８を取り付け、キャビネット９１２の下に発光ダイオード９４２の制御回路、タイミングコントロール回路、映像回路に電源を供給する電源回路、外部との接続端子などが配置され、保護用の樹脂製のカバー９２２が取り付けられる。
【０１４７】
尚、本実施形態では、壁掛け金具９４８を用いた例を示したが、バックキャビネット９１０に充分な強度がある場合は、壁掛け金具９４８を用いなくても良い。
【０１４８】
［第１０の実施形態］
図３９は、本発明の第１０の実施形態に係る液晶テレビ受像機の反射シートよりも後方を示す図である。図４０は、液晶テレビ受像機の縦断面概略図である。
【０１４９】
本実施形態に係る液晶テレビ受像機は、第９の実施形態よりも画面サイズの大きい液晶テレビ受像機である。したがって、１枚の基板に全ての発光ダイオード９７２を搭載すると基板が大きくなりコストが増加するため、本実施形態では、基板を複数に分割している。つまり、基板９６０は、画面の縦方向に並べられた複数の分割基板９６２からなる。
【０１５０】
複数の分割基板９６２にそれぞれ発光ダイオード９７２が搭載されており、隣同士の分割基板９６２の発光ダイオード９７２の中心点間隔がＹＹＬになるように、両者の間隔が空けられている。複数の分割基板９６２は放熱板９７０に固定されている。寸法ＹＹＬは、点光源９６４の光分布において縦方向でむらが発生しない距離まで広げている。また、本実施形態の液晶テレビ受像機には壁掛け金具は搭載していない。
【０１５１】
複数の点光源９６４が収められる空間領域の縦方向の幅ＹＬは、画面の縦寸法からＹＬを引いた距離、すなわち反射シート９６６の湾曲部９６８の縦方向の幅より小さい。これにより正面の輝度が高く、周辺に向かうことで輝度がなだらかに低下する輝度分布が得られる。この分布は、正面から見た場合に違和感のない輝度分布でありながら、周辺での輝度が小さくなっているので、液晶テレビ受像機に必要な光量総量を低減することができるので、コスト低減ができる。
【０１５２】
以上のように、本実施形態は、第９の実施形態に比べて、より大画面の液晶テレビ受像機のコストを低減することができる。本実施形態のその他の内容は、第９の実施形態で説明した内容が該当する。
【０１５３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【図１】
0005415618.tif 000002
【図２】
0005415618.tif 000003
【図３】
0005415618.tif 000004
【図４】
0005415618.tif 000005
【図５】
0005415618.tif 000006
【図６】
0005415618.tif 000007
【図７】
0005415618.tif 000008
【図８】
0005415618.tif 000009
【図９】
0005415618.tif 000010
【図１０】
0005415618.tif 000011
【図１１】
0005415618.tif 000012
【図１２】
0005415618.tif 000013
【図１３】
0005415618.tif 000014
【図１４】
0005415618.tif 000015
【図１５】
0005415618.tif 000016
【図１６】
0005415618.tif 000017
【図１７】
0005415618.tif 000018
【図１８】
0005415618.tif 000019
【図１９】
0005415618.tif 000020
【図２０】
0005415618.tif 000021
【図２１】
0005415618.tif 000022
【図２２】
0005415618.tif 000023
【図２３】
0005415618.tif 000024
【図２４】
0005415618.tif 000025
【図２５】
0005415618.tif 000026
【図２６】
0005415618.tif 000027
【図２７】
0005415618.tif 000028
【図２８】
0005415618.tif 000029
【図２９】
0005415618.tif 000030
【図３０】
0005415618.tif 000031
【図３１】
0005415618.tif 000032
【図３２】
0005415618.tif 000033
【図３３】
0005415618.tif 000034
【図３４】
0005415618.tif 000035
【図３５】
0005415618.tif 000036
【図３６】
0005415618.tif 000037
【図３７】
0005415618.tif 000038
【図３８】
0005415618.tif 000039
【図３９】
0005415618.tif 000040
【図４０】
0005415618.tif 000041